(57)【要約】【課題】排紙ストッパに破損が生じにくい排紙装置および画像形成装置を提供する。【解決手段】排紙トレイ２Ａが設けられた筐体２と、排紙ローラ６と、排紙ストッパ７とを備え、排紙ストッパ７は、筐体２から排紙方向下流側に突出する突出位置と、排紙トレイ２Ａと重なる位置に収容される収容位置とに変位可能であり、突出位置に変位したときに筐体２から突出する突出領域７Ａを有し、突出領域７Ａは、幅方向の左側から見たときに視認可能な左端面７３と、幅方向の右側から見たときに視認可能な右端面７４とを有し、左端面７３の全ては、平面視したときに左端面７３の任意の接点Ｐ１における接線Ｔ１の排紙方向下流側が排紙方向上流側よりも幅方向内側に位置する形状に形成され、右端面７４の全ては、平面視したときに右端面７４の任意の接点Ｐ２における接線Ｔ２の排紙方向下流側が排紙方向上流側よりも幅方向内側に位置する形状に形成される。【選択図】図５
2020117382.tif 000002
【特許請求の範囲】
【請求項１】
上部に排紙トレイが設けられた筐体と、
前記排紙トレイに用紙を排紙する排紙ローラと、
前記排紙トレイにおける排紙方向下流側に設けられ、前記排紙トレイに排紙された用紙と当接可能な排紙ストッパとを備え、
前記排紙ストッパは、前記筐体から前記排紙方向下流側に突出する突出位置と、前記排紙トレイと重なる位置に収容される収容位置とに変位可能であり、前記突出位置に変位したときに前記筐体から突出する突出領域を有し、
前記突出領域は、前記突出領域を前記排紙方向と直交する幅方向の一端側から見たときに視認可能な第１端面と、前記突出領域を前記排紙方向と直交する幅方向の他端側から見たときに視認可能な第２端面とを有し、
前記第１端面の全ては、平面視したときに前記第１端面の任意の接点における接線の前記排紙方向下流側が前記排紙方向上流側よりも前記幅方向内側に位置する形状に形成され、前記第２端面の全ては、平面視したときに前記第２端面の任意の接点における接線の前記排紙方向下流側が前記排紙方向上流側よりも前記幅方向内側に位置する形状に形成される
ことを特徴とする排紙装置。
【請求項２】
前記第１端面および前記第２端面の少なくとも一方は、平面視したときに前記接線の前記排紙方向に対する傾斜角度が、前記排紙方向における接点の位置にかかわらず一定となる直線状に形成されていることを特徴とする請求項１に記載の排紙装置。
【請求項３】
前記第１端面および前記第２端面の少なくとも一方は、平面視したときに前記接線の前記排紙方向に対する傾斜角度が、前記排紙方向における接点の位置によって変化する曲線状に形成されている
ことを特徴とする請求項１に記載の排紙装置。
【請求項４】
前記排紙ストッパは、前記排紙方向における第１端部が前記排紙トレイに揺動可能に支持され、前記排紙方向における前記第１端部とは反対側の第２端部が揺動可能であり、
前記第１端面および前記第２端面の少なくとも一方は、前記排紙ストッパが前記突出位置にあるときに前記排紙方向から見ると、任意の接点における接線の前記排紙ストッパの厚み方向における上側が下側よりも前記幅方向の外側に位置する形状に形成されている
ことを特徴とする請求項１〜請求項３の何れか一項に記載の排紙装置。
【請求項５】
前記排紙ストッパは、収容位置にあるときに前記排紙トレイの用紙支持面よりも上方に突出していることを特徴とする請求項４に記載の排紙装置。
【請求項６】
前記排紙ストッパは、前記排紙方向における第１端部に前記幅方向外側へ突出する軸部を有し、
前記排紙トレイは、前記軸部を前記排紙方向へスライド可能に案内するガイド部を有し、
前記排紙ストッパは、前記軸部と前記ガイド部とによって、前記排紙トレイに前記排紙方向に沿ってスライド可能に支持されている
ことを特徴とする請求項１〜請求項３の何れか一項に記載の排紙装置。
【請求項７】
用紙に画像を形成する画像形成部と、
前記画像形成部により画像が形成された用紙を排紙する排紙装置とを備え、
前記排紙装置として、請求項１〜請求項６の何れか一項に記載の排紙装置を備えることを特徴とする画像形成装置。
【発明の詳細な説明】
【技術分野】
【０００１】
本発明は、排紙装置および画像形成装置に関する。
【背景技術】
【０００２】
従来、排紙された用紙を支持する排紙トレイと、排紙トレイに設けられ排紙された用紙と当接可能な排紙ストッパとを備えた排紙装置が知られている。
このような排紙装置においては、小型化を図った場合に排紙トレイの面積が小さくなりがちであるため、不使用時には排紙ストッパを折り畳んで排紙トレイに収容し、使用時には排紙ストッパを排紙トレイから突出させて排紙された用紙を支持するように構成することが行われている。
【０００３】
例えば、特許文献１に開示される画像形成装置の排紙装置は、排紙トレイに回動軸を中心として回動可能に支持された排紙ストッパを備えており、排紙ストッパは回動軸を中心として回動することにより、排紙トレイに収容される位置と排紙トレイから突出する位置とを取り得るように構成されている。
【先行技術文献】
【特許文献】
【０００４】
【特許文献１】特開２００６−３３７５７０号公報
【発明の概要】
【発明が解決しようとする課題】
【０００５】
上記の構成においては、排紙ストッパが排紙トレイから突出する位置にあるときには、ユーザや障害物等が排紙ストッパの排紙トレイから突出した部分に当たり易いため、排紙ストッパが破損するおそれがある。
【０００６】
そこで、本発明においては、排紙ストッパに破損が生じにくい排紙装置および画像形成装置を提供するものである。
【課題を解決するための手段】
【０００７】
上記課題を解決する排紙装置および画像形成装置は、以下の特徴を有する。
即ち、画像形成装置（１）が備える排紙装置（５）は、上部に排紙トレイ（２Ａ）が設けられた筐体（２）と、前記排紙トレイ（２Ａ）に用紙（Ｓ）を排紙する排紙ローラ（６）と、前記排紙トレイ（２Ａ）における排紙方向下流側に設けられ、前記排紙トレイ（２Ａ）に排紙された用紙（Ｓ）と当接可能な排紙ストッパ（７、１０７、２０７、３０７）とを備え、前記排紙ストッパ（７、１０７、２０７、３０７）は、前記筐体（２）から前記排紙方向下流側に突出する突出位置と、前記排紙トレイ（２Ａ）と重なる位置に収容される収容位置とに変位可能であり、前記突出位置に変位したときに前記筐体（２）から突出する突出領域（７Ａ、１０７Ａ、２０７Ａ、３０７Ａ）を有し、前記突出領域（７Ａ、１０７Ａ、２０７Ａ、３０７Ａ）は、前記突出領域（７Ａ、１０７Ａ、２０７Ａ、３０７Ａ）を前記排紙方向と直交する幅方向の一端側から見たときに視認可能な第１端面（７３、１７３、２７３、３７３）と、前記突出領域（７Ａ、１０７Ａ、２０７Ａ、３０７Ａ）を前記排紙方向と直交する幅方向の他端側から見たときに視認可能な第２端面（７４、１７４、２７４、３７４）とを有し、前記第１端面（７３、１７３、２７３、３７３）の全ては、平面視したときに前記第１端面（７３、１７３、２７３、３７３）の任意の接点（Ｐ１、Ｐ１０１、Ｐ２０１、Ｐ３０１）における接線（Ｔ１、Ｔ１０１、Ｔ２０１、Ｔ３０１）の前記排紙方向下流側が前記排紙方向上流側よりも前記幅方向内側に位置する形状に形成され、前記第２端面（７４、１７４、２７４、３７４）の全ては、平面視したときに前記第２端面（７４、１７４、２７４、３７４）の任意の接点（Ｐ２、Ｐ１０２、Ｐ２０２、Ｐ３０２）における接線（Ｔ２、Ｔ１０２、Ｔ２０２、Ｔ３０２）の前記排紙方向下流側が前記排紙方向上流側よりも前記幅方向内側に位置する形状に形成される。
【発明の効果】
【０００８】
本発明によれば、ユーザが突出位置にある排紙ストッパの突出領域に当たった場合に、排紙ストッパは収容位置に変位することができ、排紙ストッパが破損することを抑制できる。また、排紙ストッパにおける突出領域の幅方向外側に、ユーザが用紙を掴むスペースができるため、用紙の取り出しが容易となる。
【図面の簡単な説明】
【０００９】
【図１】画像形成装置を示す斜視図である。
【図２】画像形成装置を示す平面図である。
【図３】排紙装置における排紙ストッパを示す側面図である。
【図４】排紙装置における排紙ストッパを示す正面図である。
【図５】突出位置にある排紙ストッパを示す平面図である。
【図６】排紙ストッパを厚み方向と直交する方向から見た断面図である。
【図７】第２実施形態に係る排紙ストッパを示す図であって、（ａ）は第１当接面側から見た平面図であり、（ｂ）は左端面側から見た側面図であり、（ｃ）は正面図である。
【図８】第２実施形態に係る排紙ストッパの第１端面および第２端面において、接線の排紙方向に対する傾斜角度が接点の位置によって異なる様子を示す図である。
【図９】第３実施形態に係る排紙ストッパを示す図であって、（ａ）は第１当接面側から見た平面図であり、（ｂ）は左端面側から見た側面図であり、（ｃ）は正面図である。
【図１０】第４実施形態に係る排紙ストッパを示す平面図である。
【図１１】第４実施形態に係る排紙ストッパを示す図であって、（ａ）は左側面図であり、（ｂ）は正面図である。
【発明を実施するための形態】
【００１０】
次に、本発明を実施するための形態を、添付の図面を用いて説明する。
【００１１】
[画像形成装置の概略構成]
図１に示す画像形成装置１は、本発明に係る排紙装置を備えた画像形成装置の一実施形態である。
以下の説明においては、図１に示すように画像形成装置１が使用可能に設置された状態を基準として、前後、左右、上下の各方向を定める。
【００１２】
図１、図２に示すように、画像形成装置１は、筐体２と、用紙Ｓに画像を形成する画像形成部４と、画像形成装置４により画像が形成された用紙Ｓを筐体２の外部に排紙する排紙装置５とを備えている。画像形成部４の画像形成方式は特に限定されるものではなく、例えばレーザプリント方式やインクジェットプリント方式を採用することができる。
【００１３】
筐体２は、略直方体形状に形成される箱体であり、画像形成部４を収容している。筐体２の上部には排紙ローラ６および排紙トレイ２Ａが設けられている。
【００１４】
排紙ローラ６は、前後方向において筐体２の後端部に配置されており、画像形成装置４により画像が形成された用紙Ｓを前方へ向けて搬送する。排紙トレイ２Ａは排紙ローラ６の前方に配置されており、排紙ローラ６により前方へ搬送された用紙Ｓは排紙トレイ２Ａに排紙される。つまり、用紙Ｓの排紙方向は前後方向となっており、排紙ローラ６は排紙トレイ２Ａに用紙Ｓを排紙する。
【００１５】
排紙トレイ２Ａは、筐体２の上面における後部から前方へ向かって上昇する傾斜面部２１と、傾斜面部２１の前方に配置される平面部２２とを有している。
排紙トレイ２Ａの平面部２２には、排紙トレイ２Ａに排紙された用紙Ｓと当接可能な排紙ストッパ７が設けられている。排紙ストッパ７は、排紙トレイ２Ａにおける排紙方向下流側に設けられている。
【００１６】
排紙ローラ６によって排紙トレイ２Ａに排紙される用紙Ｓは、まず後部の傾斜面部２１に排紙され、その後用紙Ｓの前端部が平面部２２に設けられる排紙ストッパ７に達して当接する。排紙トレイ２Ａに排紙された用紙Ｓが排紙ストッパ７に当接することで用紙Ｓの動きが規制され、排紙された用紙Ｓが排紙トレイ２Ａから落下することが抑制されるとともに整列される。排紙装置５は、筐体２、排紙ローラ６、排紙トレイ２Ａ、および排紙ストッパ７などによって構成されている。
【００１７】
［排紙ストッパの第１実施形態］
次に、第１実施形態に係る排紙ストッパ７について説明する。
図１〜図４に示すように、排紙ストッパ７は、排紙トレイ２Ａの平面部２２に揺動可能に支持される第１端部７aと、排紙方向における第１端部７ａとは反対側の第２端部７ｂとを有しており、第１端部７aを中心として第２端部７ｂが揺動可能に構成されている。
【００１８】
排紙ストッパ７は、第１端部７aを中心として第２端部７ｂが揺動することで、筐体２から排紙方向下流側に突出する突出位置（図１（ａ）、図２（ａ）に示す位置）と、排紙トレイ２Ａと重なる位置に収容される収容位置（図１（ｂ）、図２（ｂ）に示す位置）とに変位可能である。突出位置に変位した排紙ストッパ７の第１端部７aは第２端部７ｂよりも排紙方向上流側に位置している。
【００１９】
排紙トレイ２Ａの平面部２２は、排紙トレイ２Ａに排紙された用紙Ｓを支持する用紙支持面２２ａと、用紙支持面２２ａよりも下方に凹陥した排紙ストッパ収容部２２ｂとを有している。収容位置に変位した排紙ストッパ７は、排紙ストッパ収容部２２ｂに収容される。
【００２０】
排紙ストッパ７は、突出位置に変位したときに筐体２から排紙方向下流側に突出する突出領域７Ａを有している。突出領域７Ａは、排紙ストッパ７における第２端部７ｂ側に位置している。排紙ストッパ７は、排紙ストッパ７が突出位置にあるときに排紙トレイ２Ａに排紙された用紙Ｓが当接可能であり、突出位置にある排紙ストッパ７を平面視したときに視認可能な第１当接面７１と、排紙ストッパ７が収容位置にあるときに排紙トレイ２Ａに排紙された用紙Ｓが当接可能であり、収容位置にある排紙ストッパ７を平面視したときに視認可能な第２当接面７２とを有している。
【００２１】
排紙ストッパ７は、突出領域７Ａを排紙方向と直交する幅方向である左右方向の左側から見たときに視認可能な左端面７３と、突出領域７Ａを左右方向の右側から見たときに視認可能な右端面７４とを有している。本実施形態における左側は、排紙方向と直交する幅方向の一端側の一例であり、右側は排紙方向と直交する幅方向の他端側の一例である。また、左端面７３は突出領域が有する第１端面の一例であり、右端面７４は突出領域が有する第２端面の一例である。
【００２２】
図５に示すように、排紙ストッパ７の突出領域７Ａにおける左端面７３は、左端面７３の全ての範囲において、平面視したときに左端面７３の任意の接点Ｐ１における接線Ｔ１の排紙方向下流側が排紙方向上流側よりも幅方向内側に位置する形状に形成されている。本実施形態においては、突出領域７Ａにおける左端面７３の全ては、平面視したときに接線Ｔ１の排紙方向に対する傾斜角度θ１が、排紙方向における接点Ｐ１の位置にかかわらず一定となる直線状に形成されている。
【００２３】
つまり、左端面７３は、平面視したときに排紙方向下流側へいくにつれて幅方向中央側に傾斜する直線形状に形成されている。なお、平面視したときの左端面７３の任意の接点Ｐ１における接線Ｔ１は、左端面７３の直線形状と一致している。
【００２４】
また、排紙ストッパ７の突出領域７Ａにおける右端面７４は、右端面７４の全ての範囲において、平面視したときに右端面７４の任意の接点Ｐ２における接線Ｔ２の排紙方向下流側が排紙方向上流側よりも幅方向内側に位置する形状に形成されている。本実施形態においては、突出領域７Ａにおける右端面７４の全ては、平面視したときに接線Ｔ２の排紙方向に対する傾斜角度θ２が、排紙方向における接点Ｐ２の位置にかかわらず一定となる直線状に形成されている。
【００２５】
つまり、右端面７４は、平面視したときに排紙方向下流側へいくにつれて幅方向中央側に傾斜する直線形状に形成されている。なお、平面視したときの右端面７４の任意の接点Ｐ２における接線Ｔ２は、右端面７４の直線形状と一致している。
【００２６】
このように、排紙ストッパ７の突出領域７Ａにおける幅方向の両端部には、それぞれ平面視したときに排紙方向の全ての範囲において接線Ｔ１、Ｔ２の排紙方向下流側が排紙方向上流側よりも幅方向内側に位置する左端面７３および右端面７４が形成されている。
【００２７】
これにより、図５に示すように、ユーザが突出領域７Ａにおける幅方向両端部の左端面７３および右端面７４のどの部分に当たったとしても、左端面７３および右端面７４の形状によって、ユーザから排紙ストッパ７に加えられた力Ｆが排紙ストッパ７を収容位置に変位させる方向の力Ｆｍに変換される。従って、ユーザが突出位置にある排紙ストッパ７の突出領域７Ａに当たった場合には排紙ストッパ７は収容位置に変位することができ、排紙ストッパ７が破損することを抑制できる。
【００２８】
特に、本実施形態における排紙ストッパ７の突出領域７Ａの左端面７３および右端面７４は、平面視したときに接線Ｔ１、Ｔ２の排紙方向に対する傾斜角度θ１、θ２が、排紙方向における接点Ｐ１、Ｐ２の位置にかかわらず一定となる直線状に形成されているため、ユーザが左端面７３および右端面７４に当たった場合、左端面７３および右端面７４のどの部分に当たったとしても、排紙ストッパ７に加えられた力が排紙ストッパ７を収容位置に変位させる方向の力に変換される度合が変化しないため、排紙ストッパ７を安定して収容位置に変位させることが可能となっている。
【００２９】
なお、本実施形態においては、左端面７３および右端面７４の両方が、平面視したときに接線Ｔ１、Ｔ２の排紙方向に対する傾斜角度θ１、θ２が排紙方向における接点Ｐ１、Ｐ２の位置にかかわらず一定となる直線状に形成されているが、左端面７３および右端面７４の一方が、平面視したときに接線Ｔ１、Ｔ２の排紙方向に対する傾斜角度θ１、θ２が排紙方向における接点Ｐ１、Ｐ２の位置にかかわらず一定となる直線状に形成されていてもよい。
【００３０】
また、突出位置にある排紙ストッパ７の排紙方向下流側に位置する突出領域７Ａは、左端面７３および右端面７４の任意の接点Ｐ１、Ｐ２における接線Ｔ１、Ｔ２の排紙方向下流側が排紙方向上流側よりも幅方向内側に位置する形状に形成されている。従って、排紙ストッパ７の突出領域７Ａは、排紙ストッパ７の第１端部７ａ側の部分よりも幅方向の長さが小さくなっていて剛性が低く撓みやすい。
【００３１】
これにより、ユーザが排紙ストッパ７の突出領域７Ａに当たった場合は、突出領域７Ａが撓むことによって排紙ストッパ７が収容位置に変位する方向の力が生じ、排紙ストッパ７が収容位置に変位し易くなる。さらに、突出領域７Ａの幅方向の長さが小さくなることで、突出領域７Ａの左右外側にユーザが用紙Ｓを掴むスペースができるため、用紙Ｓの取り出しが容易となる。
【００３２】
さらに、突出位置にある排紙ストッパ７の突出領域７Ａにおいては、排紙方向下流側へいくに従って厚み方向の寸法が小さくなっている。従って、突出領域７Ａの第２端部７ｂ側は剛性が低くてより撓みやすくなっている。これにより、ユーザが排紙ストッパ７の突出領域７Ａにおける第２端部７ｂ側の部分に当たった場合は、排紙ストッパ７が収容位置に変位する方向の力がさらに生じ易くなり、排紙ストッパ７がより収容位置に変位し易くなる。
【００３３】
図４（ａ）、図６に示すように、排紙ストッパ７の突出領域７Ａにおける左端面７３は、排紙ストッパ７が突出位置にあるときに排紙方向から見ると、任意の接点Ｐ１１における接線Ｔ１１の排紙ストッパ７の厚み方向における上側が下側よりも幅方向の外側に位置する形状に形成されている。また、排紙ストッパ７の突出領域７Ａにおける右端面７４は、排紙ストッパ７が突出位置にあるときに排紙方向から見ると、任意の接点Ｐ１２における接線Ｔ１２の排紙ストッパ７の厚み方向における上側が下側よりも幅方向の外側に位置する形状に形成されている。
【００３４】
この場合、排紙ストッパ７の厚み方向における上側とは、排紙ストッパ７の厚み方向における第１当接面７１側であり、排紙ストッパ７の厚み方向における下側とは、排紙ストッパ７の厚み方向における第２当接面７２側である。
【００３５】
本実施形態においては、左端面７３は、排紙方向からみたときに接線Ｔ１１の上下方向に対する傾斜角度θ１１が、上下方向における接点Ｐ１１の位置にかかわらず一定となる直線状に形成されている。また、右端面７４は、排紙方向からみたときに接線Ｔ１２の上下方向に対する傾斜角度θ１２が、上下方向における接点Ｐ１２の位置にかかわらず一定となる直線状に形成されている。
【００３６】
このように、左端面７３および右端面７４は、平面視したときに接線Ｔ１、Ｔ２の排紙方向下流側が排紙方向上流側よりも幅方向内側に位置する形状に形成されるとともに、排紙方向から見たときに接線Ｔ１１、Ｔ１２の排紙ストッパ７の厚み方向における上側が下側よりも幅方向の外側に位置する形状に形成されていて３次元的に傾斜した形状となっている。これにより、図６に示すように、ユーザが排紙ストッパ７に当たったときの力Ｆが排紙ストッパ７を突出位置から収容位置へ揺動させる方向の力Ｆｍに変換され易くなり、排紙ストッパ７が破損することをより抑制することが可能となっている。
【００３７】
なお、本実施形態においては、左端面７３および右端面７４の両方が、排紙方向から見たときに接線Ｔ１１、Ｔ１２の排紙ストッパ７の厚み方向における上側が下側よりも幅方向の外側に位置する形状に形成されているが、左端面７３および右端面７４の一方が排紙方向から見たときに接線Ｔ１１、Ｔ１２の排紙ストッパ７の厚み方向における上側が下側よりも幅方向の外側に位置する形状に形成されていてもよい。
【００３８】
図３（ｂ）、図４（ｂ）に示すように、収容位置にある排紙ストッパ７は、排紙トレイ２Ａの平面部２２における用紙支持面２２ａよりも上方に突出する突出部７Ｂを有している。排紙ストッパ７が収容位置に変位した状態では、第２当接面７２が第１当接面７１よりも上方に位置しており、突出部７Ｂにおいては第２当接面７２は排紙方向下流側へいくに従って上昇する方向に傾斜している。
【００３９】
また、突出部７Ｂにおいては、左端面７３および右端面７４は、上側へいくに従って左右内側へ向かう方向に傾斜している。従って、排紙ストッパ７３の突出部７Ｂにおける幅方向の寸法Ｗは、排紙ストッパ７３の厚み方向における上側へ行くにしたがって小さくなっている。例えば、排紙ストッパ７３の用紙支持面２２ａと同じ高さ位置に位置する部分の幅方向の寸法Ｗ１よりも、上端に位置する部分の幅方向の寸法Ｗ２の方が小さく形成されている。
【００４０】
このように、排紙ストッパ７は、収容位置にあるときの幅方向の寸法Ｗが、厚み方向における上側へいくに従って小さくなるように形成されているため、排紙トレイ２Ａに排紙された用紙Ｓが排紙ストッパ７に当接した際に、排紙ストッパ７の上端部の角に引っ掛かりにくい。また、収容位置にある排紙ストッパ７の上に用紙Ｓが載置された場合に、排紙トレイ２Ａの用紙支持面２２ａと用紙Ｓとの間に隙間Ｇが形成されるため、ユーザが隙間Ｇに指を入れて用紙Ｓを取り出すことができ、用紙Ｓの取り出しを容易にすることが可能となっている。
【００４１】
［排紙ストッパの第２実施形態］
次に、第２実施形態に係る排紙ストッパ１０７について説明する。
図７に示すように、排紙ストッパ１０７は、第１実施形態に係る排紙ストッパ７が有している突出領域７Ａの左端面７３および右端面７４に代えて、突出領域１０７Ａの左端面１７３および右端面１７４を有している点で排紙ストッパ７と異なっている。排紙ストッパ１０７の第１端部１０７a、第２端部１０７ｂ、第１当接面１７１、および第２当接面１７２は、それぞれ排紙ストッパ７の第１端部７a、第２端部７ｂ、第１当接面７１、および第２当接面７２と同様に構成されるため、説明を省略する。
【００４２】
排紙ストッパ１０７の突出領域１０７Ａにおける左端面１７３は、左端面１７３の全ての範囲において、平面視したときに左端面１７３の任意の接点Ｐ１０１における接線Ｔ１０１の排紙方向下流側が排紙方向上流側よりも幅方向内側に位置する形状に形成されている。特に、突出領域１０７Ａにおける左端面１７３は、平面視したときに接線Ｔ１０１の排紙方向に対する傾斜角度θ１０１が、排紙方向における接点Ｐ１０１の位置によって変化する曲線状に形成されている。
【００４３】
例えば、図８に示すように、排紙ストッパ１０７の突出領域１０７Ａにおいて、第１端部１０７a側に位置する接点Ｐ１０１ａにおける接線Ｔ１０１ａの排紙方向に対する傾斜角度θ１０１ａと、接点Ｐ１０１ａよりも第２端部１０７ｂ側に位置する接点Ｐ１０１ｂにおける接線Ｔ１０１ｂの排紙方向に対する傾斜角度θ１０１ｂとを比較すると、接線Ｔ１０１ｂの傾斜角度θ１０１ｂの方が、接線Ｔ１０１ａの傾斜角度θ１０１ａよりも大きくなっている。
【００４４】
また、排紙ストッパ１０７の突出領域１０７Ａにおける右端面１７４は、右端面１７４の全ての範囲において、平面視したときに右端面１７４の任意の接点Ｐ１０２における接線Ｔ１０２の排紙方向下流側が排紙方向上流側よりも幅方向内側に位置する形状に形成されている。特に、突出領域１０７Ａにおける右端面１７４は、平面視したときに接線Ｔ１０２の排紙方向に対する傾斜角度θ１０２が、排紙方向における接点Ｐ１０２の位置によって変化する曲線状に形成されている。
【００４５】
例えば、図８に示すように、排紙ストッパ１０７の突出領域１０７Ａにおいて、第１端部１０７a側に位置する接点Ｐ１０２ａにおける接線Ｔ１０２ａの排紙方向に対する傾斜角度θ１０２ａと、接点Ｐ１０２ａよりも第２端部１０７ｂ側に位置する接点Ｐ１０２ｂにおける接線Ｔ１０２ｂの排紙方向に対する傾斜角度θ１０２ｂとを比較すると、接線Ｔ１０２ｂの傾斜角度θ１０２ｂの方が、接線Ｔ１０２ａの傾斜角度θ１０２ａよりも大きくなっている。
【００４６】
このように、左端面１７３および右端面１７４を、平面視したときに接線Ｔ１０１、Ｔ１０２の排紙方向に対する傾斜角度θ１０１、θ１０２が、排紙方向における接点Ｐ１０１、Ｐ１０２の位置によって変化する曲線状に形成した場合でも、ユーザが左端面１７３または右端面１７４に当たると、ユーザから排紙ストッパ１０７に加えられた力が排紙ストッパ１０７を収容位置に変位させる方向の力に変換される。これにより、排紙ストッパ１０７は収容位置に変位することが可能であり、排紙ストッパ１０７が破損することを抑制できる。
【００４７】
なお、本実施形態においては、左端面１７３および右端面１７４の両方が、平面視したときに接線Ｔ１０１、Ｔ１０２の排紙方向に対する傾斜角度θ１０１、θ１０２が、排紙方向における接点Ｐ１０１、Ｐ１０２の位置によって変化する曲線状に形成されているが、左端面１７３および右端面１７４の一方が前記曲線状に形成されていてもよい。
また、排紙ストッパ１０７は、排紙ストッパ７よりも厚み方向の寸法が小さく形成されており、左端面１７３および右端面１７４は、排紙ストッパ１０７の厚み方向における上側の幅方向の位置と下側の幅方向の位置とが同じ位置となるように形成されている。
【００４８】
［排紙ストッパの第３実施形態］
次に、第３実施形態に係る排紙ストッパ２０７について説明する。
図９に示すように、排紙ストッパ２０７は、第１実施形態に係る排紙ストッパ７が有している突出領域７Ａの左端面７３および右端面７４に代えて、突出領域２０７Ａの左端面２７３および右端面２７４を有している点で排紙ストッパ７と異なっている。排紙ストッパ２０７の第１端部２０７a、第２端部２０７ｂ、第１当接面２７１、および第２当接面２７２は、それぞれ排紙ストッパ７の第１端部７a、第２端部７ｂ、第１当接面７１、および第２当接面７２と同様に構成されるため、説明を省略する。
【００４９】
排紙ストッパ２０７の突出領域２０７Ａにおける左端面２７３の全ては、平面視したときに接線Ｔ２０１の排紙方向に対する傾斜角度θ２０１が、排紙方向における接点Ｐ２０１の位置にかかわらず一定となる直線状に形成されている。また、右端面２７４の全ては、平面視したときに接線Ｔ２０２の排紙方向に対する傾斜角度θ２０２が、排紙方向における接点Ｐ２０２の位置にかかわらず一定となる直線状に形成されている。この点については、排紙ストッパ２０７と排紙ストッパ７とは同様に構成されている。
【００５０】
但し、排紙ストッパ２０７は、排紙ストッパ７よりも厚み方向の寸法が小さく形成されており、左端面２７３および右端面２７４は、排紙ストッパ２０７の厚み方向における上側の幅方向の位置と下側の幅方向の位置とが同じ位置となるように形成されている。
このような構成においても、ユーザが左端面２７３または右端面２７４に当たったときには、ユーザから排紙ストッパ２０７に加えられた力が排紙ストッパ２０７を収容位置に変位させる方向の力に変換される。これにより、排紙ストッパ２０７は収容位置に変位することが可能であり、排紙ストッパ２０７が破損することを抑制できる。
【００５１】
［排紙ストッパの第４実施形態］
次に、第４実施形態に係る排紙ストッパ３０７について説明する。
図１０、図１１に示すように、排紙ストッパ３０７は、排紙方向上流側に配置される第１端部３０７ａと、第１端部３０７ａよりも排紙方向下流側に配置される第２端部３０７ｂとを有している。第１端部３０７ａは、幅方向の両端部に幅方向外側へ突出する軸部３７５を有している。
【００５２】
本実施形態においては、排紙トレイ２Ａの平面部２２は、排紙方向に沿って延出するガイド部２２ｃを有している。軸部３７５とガイド部２２ｃとは摺動可能に嵌合しており、ガイド部２２ｃは軸部３７５を排紙方向へスライド可能に案内している。
排紙ストッパ３０７は、軸部３７５とガイド部２２ｃとによって、排紙トレイ２Ａに排紙方向に沿ってスライド可能に支持されている。
【００５３】
排紙ストッパ３０７は、ガイド部２２ｃの延出方向である排紙方向に沿ってスライドすることで、筐体２から排紙方向下流側に突出する突出位置（図１０、図１１（ａ）において実線で表す位置）と、排紙トレイ２Ａと重なる位置に収容される収容位置（図１０、図１１（ａ）において２点鎖線で表す位置）とに変位可能である。
【００５４】
排紙ストッパ３０７は、突出位置に変位したときに筐体２から排紙方向下流側に突出する突出領域３０７Ａを有している。突出領域３０７Ａは、排紙ストッパ３０７における第２端部３０７ｂ側に位置している。
排紙ストッパ３０７は、排紙トレイ２Ａに排紙された用紙Ｓが当接可能であり、排紙ストッパ７を平面視したときに視認可能な当接面３７１を有している。
【００５５】
排紙ストッパ３０７は、突出領域３０７Ａを排紙方向と直交する幅方向である左右方向の左側から見たときに視認可能な左端面３７３と、突出領域３０７Ａを左右方向の右側から見たときに視認可能な右端面３７４とを有している。本実施形態における左側は、排紙方向と直交する幅方向の一端側の一例であり、右側は排紙方向と直交する幅方向の他端側の一例である。また、左端面３７３は突出領域が有する第１端面の一例であり、右端面３７４は突出領域が有する第２端面の一例である。
【００５６】
左端面３７３および右端面３７４は、左端面７３および右端面７４と同様に構成されている。つまり、突出領域３０７Ａにおける左端面３７３は、左端面３７３の全ての範囲において、平面視したときに左端面３７３の任意の接点Ｐ３０１における接線Ｔ３０１の排紙方向下流側が排紙方向上流側よりも幅方向内側に位置する形状に形成されている。さらに、突出領域３０７Ａにおける左端面３７３の全ては、平面視したときに接線Ｔ３０１の排紙方向に対する傾斜角度θ３０１が、排紙方向における接点Ｐ３０１の位置にかかわらず一定となる直線状に形成されている。
【００５７】
また、突出領域３０７Ａにおける右端面３７４は、右端面３７４の全ての範囲において、平面視したときに右端面３７４の任意の接点Ｐ３０２における接線Ｔ３０２の排紙方向下流側が排紙方向上流側よりも幅方向内側に位置する形状に形成されている。さらに、突出領域３０７Ａにおける右端面３７４の全ては、平面視したときに接線Ｔ３０２の排紙方向に対する傾斜角度θ３０２が、排紙方向における接点Ｐ３０２の位置にかかわらず一定となる直線状に形成されている。
【００５８】
このように、排紙ストッパ３０７の突出領域３０７Ａにおける幅方向の両端部には、それぞれ平面視したときに排紙方向の全ての範囲において接線Ｔ３０１、Ｔ３０２の排紙方向下流側が排紙方向上流側よりも幅方向内側に位置する左端面３７３および右端面３７４が形成されている。
【００５９】
これにより、ユーザが突出領域３０７Ａにおける左端面３７３および右端面３７４に当たったとしても、左端面３７３および右端面３７４の形状によって、ユーザから排紙ストッパ７に加えられた力Ｆが排紙ストッパ３０７を収容位置側へスライドさせる方向の力Ｆｍに変換される。従って、ユーザが突出位置にある排紙ストッパ３０７の突出領域３０７Ａに当たった場合には排紙ストッパ３０７は収容位置に変位することができ、排紙ストッパ３０７が破損することを抑制できる。
【００６０】
また、排紙ストッパ３０７は、排紙トレイ２Ａに対して排紙方向にスライドさせることによって、収容位置と突出位置とに変位させることが可能に構成されている。この場合、排紙ストッパ３０７は排紙方向上流側端部の軸部３７５において排紙トレイ２Ａと接触し、左端面３７３および右端面３７４は排紙方向下流側へいくに従って幅方向中央側に位置するように傾斜しているため、排紙ストッパ３０７を排紙方向に沿ってスライドさせるときに排紙ストッパ３０７と排紙トレイ２Ａとの接触する箇所が少なくなる。従って、排紙ストッパ３０７をスライドさせるときの摩擦抵抗が小さくなって、排紙ストッパ３０７をスライドさせ易くなっている。
【００６１】
[本実施形態における効果]
本実施形態においては、排紙装置５を備えた画像形成装置１は、上述のように構成されている。
つまり、画像形成装置１の排紙装置５は、上部に排紙トレイ２Ａが設けられた筐体２と、排紙トレイ２Ａに用紙Ｓを排紙する排紙ローラ６と、排紙トレイ２Ａにおける排紙方向下流側に設けられ、排紙トレイ２Ａに排紙された用紙Ｓと当接可能な排紙ストッパ７とを備えている。排紙ストッパ７は、筐体２から排紙方向下流側に突出する突出位置と、排紙トレイ２Ａと重なる位置に収容される収容位置とに変位可能であり、突出位置に変位したときに筐体２から突出する突出領域７Ａを有している。突出領域７Ａは、突出領域７Ａを排紙方向と直交する幅方向の左側から見たときに視認可能な左端面７３と、突出領域７Ａを排紙方向と直交する幅方向の右側から見たときに視認可能な右端面７４とを有している。左端面７３の全ては、平面視したときに左端面７３の任意の接点Ｐ１における接線Ｔ１の排紙方向下流側が排紙方向上流側よりも幅方向内側に位置する形状に形成され、右端面７４の全ては、平面視したときに右端面７４の任意の接点Ｐ２における接線Ｔ２の排紙方向下流側が排紙方向上流側よりも幅方向内側に位置する形状に形成される。
【００６２】
これにより、ユーザが突出領域７Ａにおける幅方向両端部の左端面７３および右端面７４のどの部分に当たったとしても、左端面７３および右端面７４の形状によって、ユーザから排紙ストッパ７に加えられた力が排紙ストッパ７を収容位置に変位させる方向の力に変換される。従って、ユーザが突出位置にある排紙ストッパ７の突出領域７Ａに当たった場合には排紙ストッパ７は収容位置に変位することができ、排紙ストッパ７が破損することを抑制できる。また、ユーザが排紙ストッパ７の突出領域７Ａに当たった場合は、突出領域７Ａが撓むことによって排紙ストッパ７が収容位置に変位する方向の力が生じ、排紙ストッパ７が収容位置に変位し易くなる。さらに、突出領域７Ａの幅方向の長さが小さくなることで、突出領域７Ａの左右外側にユーザが用紙Ｓを掴むスペースができるため、用紙Ｓの取り出しが容易となる。
【００６３】
また、左端面７３および右端面７４の少なくとも一方は、平面視したときに接線Ｔ１、Ｔ２の排紙方向に対する傾斜角度θ１、θ２が、排紙方向における接点Ｐ１、Ｐ２の位置にかかわらず一定となる直線状に形成されている。
これにより、ユーザが左端面７３および右端面７４に当たった場合、左端面７３および右端面７４のどの部分に当たったとしても、排紙ストッパ７に加えられた力が排紙ストッパ７を収容位置に変位させる方向の力に変換される度合が変化しないため、排紙ストッパ７を安定して収容位置に変位させることが可能である。
【００６４】
また、左端面１７３および右端面１７４の少なくとも一方は、平面視したときに接線Ｔ１０１、Ｔ１０２の排紙方向に対する傾斜角度θ１０１、θ１０２が、排紙方向における接点Ｐ１０１、Ｐ１０２の位置によって変化する曲線状に形成されている。
これにより、ユーザが左端面１７３または右端面１７４に当たると、ユーザから排紙ストッパ１０７に加えられた力が排紙ストッパ１０７を収容位置に変位させる方向の力に変換されるため、排紙ストッパ１０７は収容位置に変位することが可能であり、排紙ストッパ１０７が破損することを抑制できる。
【００６５】
また、排紙ストッパ７は、排紙方向における第１端部７ａが排紙トレイ２Ａに揺動可能に支持され、排紙方向における第１端部７ａとは反対側の第２端部７ｂが揺動可能であり、左端面７３および右端面７４の少なくとも一方は、排紙ストッパ７が突出位置にあるときに排紙方向から見ると、任意の接点Ｐ１１、Ｐ１２における接線Ｔ１１、Ｔ１２の排紙ストッパ７の厚み方向における上側が下側よりも幅方向の外側に位置する形状に形成されている。
これにより、ユーザが排紙ストッパ７に当たったときの力が排紙ストッパ７を突出位置から収容位置へ揺動させる方向の力に変換され易くなり、排紙ストッパ７が破損することをより抑制することができる。
【００６６】
また、排紙ストッパ７は、収容位置にあるときに排紙トレイ２Ａの用紙支持面２２ａよりも上方に突出している。
これにより、排紙トレイ２Ａに排紙された用紙Ｓが排紙ストッパ７に当接した際に、排紙ストッパ７の上端部の角に引っ掛かりにくい。また、収容位置にある排紙ストッパ７の上に用紙Ｓが載置された場合に、排紙トレイ２Ａの用紙支持面２２ａと用紙Ｓとの間に隙間Ｇが形成されるため、ユーザが隙間Ｇに指を入れて用紙Ｓを取り出すことができ、用紙Ｓの取り出しを容易にすることが可能である。
【００６７】
また、排紙ストッパ３０７は、排紙方向における第１端部３０７ａに幅方向外側へ突出する軸部３７５を有し、排紙トレイ２Ａは、軸部３７５を排紙方向へスライド可能に案内するガイド部２２ｃを有し、排紙ストッパ３０７は、軸部３７５とガイド部２２ｃとによって、排紙トレイ２Ａに排紙方向に沿ってスライド可能に支持されている。
これにより、排紙ストッパ３０７を排紙方向に沿ってスライドさせるときに排紙ストッパ３０７と排紙トレイ２Ａとの接触する箇所が少なくなるため、排紙ストッパ３０７をスライドさせるときの摩擦抵抗が小さくなって、排紙ストッパ３０７をスライドさせ易くなる。
【符号の説明】
【００６８】
１    画像形成装置
２    筐体
２Ａ  排紙トレイ
４    画像形成部
５    排紙装置
６    排紙ローラ
７、１０７、２０７、３０７  排紙ストッパ
７Ａ、１０７Ａ、２０７Ａ、３０７Ａ  突出領域
７Ｂ  突出部
７ａ、１０７ａ、２０７ａ、３０７ａ  第１端部
７ｂ、１０７ｂ、２０７ｂ、３０７ｂ  第２端部
２２    平面部
２２ａ  用紙支持面
２２ｂ  排紙ストッパ収容部
２２ｃ  ガイド部
７１、１７１、２７１、３７１  第１当接面
７２、１７２、２７２  第２当接面
７３、１７３、２７３、３７３  左端面
７４、１７４、２７４、３７４  右端面
３７５    軸部
Ｐ１、Ｐ１０１、Ｐ２０１、Ｐ３０１  接点
Ｐ２、Ｐ１０２、Ｐ２０２、Ｐ３０２  接点
Ｐ１１、Ｐ１２  接点
Ｔ１、Ｔ１０１、Ｔ２０１、Ｔ３０１  接線
Ｔ２、Ｔ１０２、Ｔ２０２、Ｔ３０２  接線
Ｔ１１、Ｔ１２  接点
θ１、θ１０１、θ２０１、θ３０１  傾斜角度
θ２、θ１０２、θ２０２、θ３０２  傾斜角度
θ１１、θ１２  傾斜角度
Ｓ    用紙
Ｗ    幅方向の寸法
【図１】
2020117382.tif 000003
【図２】
2020117382.tif 000004
【図３】
2020117382.tif 000005
【図４】
2020117382.tif 000006
【図５】
2020117382.tif 000007
【図６】
2020117382.tif 000008
【図７】
2020117382.tif 000009
【図８】
2020117382.tif 000010
【図９】
2020117382.tif 000011
【図１０】
2020117382.tif 000012
【図１１】
2020117382.tif 000013